(57)【要約】【課題】エレベータの利用者が乗場で特に操作を行うことなくかごを自動呼び登録することができ、自動呼び登録する目的階および自動呼び登録するか否かの設定値を後から自由に変更することができるエレベータの呼び登録装置およびエレベータの呼び登録方法を得る。【解決手段】受信装置から受信した携帯端末情報および乗場階の情報から、対応する記憶部に記憶された目的階の情報および自動登録可否設定を取得し、自動登録可否設定が「有効」である場合には乗場階の情報および目的階の情報に従ってかごを自動呼び登録し、自動登録可否設定が「無効」である場合には自動呼び登録を行わない。【選択図】図１
2015229560.tif 000002
【特許請求の範囲】
【請求項１】
かごの運転を制御するエレベータ制御部と、乗場階の利用者が所持する携帯端末と、前記携帯端末が発信する携帯端末情報を検知すると前記携帯端末情報および前記乗場階の情報を前記エレベータ制御部に送信する受信装置と、前記受信装置から受信した情報を記憶部に記憶する記憶情報更新部と、を備えたエレベータの呼び登録装置であって、
前記携帯端末は、前記利用者が前記携帯端末を操作して入力した目的階の情報および自動登録可否設定を前記受信装置に送信し、
前記受信装置は、前記目的階の情報、前記自動登録可否設定、前記携帯端末情報および前記乗場階の情報を前記エレベータ制御部に送信し、
前記記憶情報更新部は、前記記憶部に、前記目的階の情報を前記携帯端末情報毎かつ前記乗場階毎に記憶し、また、前記自動登録可否設定を前記携帯端末情報毎に記憶し、
前記エレベータ制御部は、前記受信装置から受信した前記携帯端末情報および前記乗場階の情報から、対応する前記記憶部に記憶された前記目的階の情報および前記自動登録可否設定を取得し、前記自動登録可否設定が「有効」である場合には前記乗場階の情報および前記目的階の情報に従って前記かごを自動呼び登録し、前記自動登録可否設定が「無効」である場合には前記自動呼び登録を行わない
エレベータの呼び登録装置。
【請求項２】
前記目的階の情報は、目的階が予め定めた時間帯毎に指定されており、
前記記憶情報更新部は、前記記憶部に、前記目的階を前記携帯端末情報毎、かつ前記乗場階毎、かつ前記予め定めた時間帯毎に記憶し、
前記エレベータ制御部は、前記自動登録可否設定が「有効」である場合には、前記予め定めた時間帯毎に記憶された前記乗場階および前記目的階のうちの、現時刻における前記乗場階および前記目的階に従って前記かごを自動呼び登録する
請求項１に記載のエレベータの呼び登録装置。
【請求項３】
前記自動呼び登録された前記目的階または前記かごに関する情報を、前記乗場階に設置された表示装置または前記携帯端末に対して通知する通知部を更に備える
請求項１または２に記載のエレベータの呼び登録装置。
【請求項４】
前記携帯端末情報から、前記携帯端末を所持している前記利用者の利用者ＩＤを識別するＩＤ識別部を更に備え、
前記記憶情報更新部は、前記記憶部に、前記携帯端末情報として前記利用者ＩＤを記録し、
前記エレベータ制御部は、前記携帯端末情報として前記利用者ＩＤを用いる
請求項１から３のいずれか１項に記載のエレベータの呼び登録装置。
【請求項５】
かごの運転を制御するエレベータ制御部と、乗場階の利用者が所持する携帯端末と、前記携帯端末が発信する携帯端末情報を検知すると前記携帯端末情報および前記乗場階の情報を前記エレベータ制御部に送信する受信装置と、前記受信装置から受信した情報を記憶部に記憶する記憶情報更新部と、を備えたエレベータの呼び登録装置において用いられるエレベータの呼び登録方法であって、
前記携帯端末において、前記利用者が前記携帯端末を操作して入力した目的階の情報および自動登録可否設定を前記受信装置に送信するステップと、
前記受信装置において、前記目的階の情報、前記自動登録可否設定、前記携帯端末情報および前記乗場階の情報を前記エレベータ制御部に送信するステップと、
前記記憶情報更新部において、前記記憶部に、前記目的階の情報を前記携帯端末情報毎かつ前記乗場階毎に記憶し、また、前記自動登録可否設定を前記携帯端末情報毎に記憶するステップと、
前記エレベータ制御部において、前記受信装置から受信した前記携帯端末情報および前記乗場階の情報から、対応する前記記憶部に記憶された前記目的階の情報および前記自動登録可否設定を取得し、前記自動登録可否設定が「有効」である場合には前記乗場階の情報および前記目的階の情報に従って前記かごを自動呼び登録し、前記自動登録可否設定が「無効」である場合には前記自動呼び登録を行わないステップと、
を有するエレベータの呼び登録方法。
【発明の詳細な説明】
【技術分野】
【０００１】
この発明は、乗客が乗場で特に操作を行わなくても、かごを自動的に呼び登録することができるエレベータの呼び登録装置およびエレベータの呼び登録方法に関するものである。
【背景技術】
【０００２】
従来のエレベータの呼び登録装置として、乗客のエレベータ利用履歴に基づいてかごを自動的に呼び登録するものがある（例えば、特許文献１参照）。また、乗客の移動履歴から利用率が所定値以上である階を、目的階として自動的に呼び登録するものがある（例えば、特許文献２参照）。
【０００３】
また、別の従来のエレベータの呼び登録装置として、乗客が所持する携帯端末を利用してかごを呼び登録できるようにしたものがある（例えば、特許文献３−５参照）。特許文献３では、携帯端末の個人ＩＤを参照して、その利用者に応じて目的階を自動的に登録している。特許文献４では、利用者が携帯端末を操作することにより呼び登録している。特許文献５では、携帯端末を所持する利用者のエレベータ利用履歴を参照することにより、利用者が移動したい目的階を予測して呼び登録している。
【先行技術文献】
【特許文献】
【０００４】
【特許文献１】特許第４７７３６５５号公報
【特許文献２】特開平５−１９３８４２号公報
【特許文献３】ＷＯ１０／０３２３０７号公報
【特許文献４】特開２０１１−１３６８３６号公報
【特許文献５】特開２００９−６２１５１号公報
【発明の概要】
【発明が解決しようとする課題】
【０００５】
しかしながら、従来技術には、以下のような課題がある。
特許文献１−５では、自動呼び登録される目的階を後から変更する方法、あるいは自動呼び登録自体を無効化する方法については言及されていない。このため、乗客が利用する目的階を変更したい場合等に柔軟に対応できないという課題があった。
【０００６】
また、特許文献１、５では、利用者のエレベータ利用履歴を基に、利用者の目的階を予測して自動的に呼び登録するようにしている。しかしながら、利用者にとっては、自動的に呼び登録される目的階を予測することが困難であり、予測された目的階が、実際に望んでいる今回の目的階と一致しているか否かを把握できないという課題があった。
【０００７】
この発明は、上記のような課題を解決するためになされたものであり、エレベータの利用者が乗場で特に操作を行うことなくかごを自動呼び登録することができ、自動呼び登録する目的階および自動呼び登録するか否かの設定値を後から自由に変更することができるエレベータの呼び登録装置およびエレベータの呼び登録方法を得ることを目的とする。
【課題を解決するための手段】
【０００８】
本発明に係るエレベータの呼び登録装置は、かごの運転を制御するエレベータ制御部と、乗場階の利用者が所持する携帯端末と、携帯端末が発信する携帯端末情報を検知すると携帯端末情報および乗場階の情報をエレベータ制御部に送信する受信装置と、受信装置から受信した情報を記憶部に記憶する記憶情報更新部と、を備えたエレベータの呼び登録装置であって、携帯端末は、利用者が携帯端末を操作して入力した目的階の情報および自動登録可否設定を受信装置に送信し、受信装置は、目的階の情報、自動登録可否設定、携帯端末情報および乗場階の情報を、エレベータ制御部に送信し、記憶情報更新部は、記憶部に、目的階の情報を携帯端末情報毎かつ乗場階毎に記憶し、また、自動登録可否設定を携帯端末情報毎に記憶し、エレベータ制御部は、受信装置から受信した携帯端末情報および乗場階の情報から、対応する記憶部に記憶された目的階の情報および自動登録可否設定を取得し、自動登録可否設定が「有効」である場合には乗場階の情報および目的階の情報に従ってかごを自動呼び登録し、自動登録可否設定が「無効」である場合には自動呼び登録を行わないものである。
【０００９】
また、本発明に係るエレベータの呼び登録方法は、かごの運転を制御するエレベータ制御部と、乗場階の利用者が所持する携帯端末と、携帯端末が発信する携帯端末情報を検知すると携帯端末情報および乗場階の情報をエレベータ制御部に送信する受信装置と、受信装置から受信した情報を記憶部に記憶する記憶情報更新部と、を備えたエレベータの呼び登録装置において用いられるエレベータの呼び登録方法であって、携帯端末において、利用者が携帯端末を操作して入力した目的階の情報および自動登録可否設定を受信装置に送信するステップと、受信装置において、目的階の情報、自動登録可否設定、携帯端末情報および乗場階の情報を、エレベータ制御部に送信するステップと、記憶情報更新部において、記憶部に、目的階の情報を携帯端末情報毎かつ乗場階毎に記憶し、また、自動登録可否設定を携帯端末情報毎に記憶するステップと、エレベータ制御部において、受信装置から受信した携帯端末情報および乗場階の情報から、対応する記憶部に記憶された目的階の情報および自動登録可否設定を取得し、自動登録可否設定が「有効」である場合には乗場階の情報および目的階の情報に従ってかごを自動呼び登録し、自動登録可否設定が「無効」である場合には自動呼び登録を行わないステップと、を有するものである。
【発明の効果】
【００１０】
この発明によれば、エレベータの利用者は、利用者が所持する携帯端末を操作することによって、自動呼び登録する目的階と自動呼び登録するか否かの設定値とを予め設定しておくことができ、また、後から変更することも可能である。この結果、エレベータの利用者は、乗場で特に操作を行うことなくかごを自動呼び登録することができ、自動呼び登録する目的階および自動呼び登録するか否かの設定値を後から自由に変更することができるエレベータの呼び登録装置およびエレベータの呼び登録方法を得ることができる。
【図面の簡単な説明】
【００１１】
【図１】この発明の実施の形態１に係るエレベータの呼び登録装置の構成の例示図である。
【図２】この発明の実施の形態１に係るエレベータの呼び登録方法を示す第１のフローチャートである。
【図３】この発明の実施の形態１に係るエレベータの呼び登録方法を示す第２のフローチャートである。
【図４】この発明の実施の形態１に係るエレベータの呼び登録方法を示す第３のフローチャートである。
【発明を実施するための形態】
【００１２】
以下、この発明におけるエレベータの呼び登録装置およびエレベータの呼び登録方法の好適な実施の形態について図面を用いて説明する。なお、各図において同一、または相当する部分については、同一符号を付して説明する。
【００１３】
実施の形態１．
図１は、この発明の実施の形態１に係るエレベータの呼び登録装置の構成の例示図である。図１に示すエレベータ制御装置１は、かご６の運転を制御する。また、エレベータ乗場の利用者７は、所持する携帯端末８を操作することによって、乗場ボタン等を操作することなくかご６の呼び登録を行うことが可能である。
【００１４】
このように、本実施の形態１においては、エレベータの利用者７は、自分に関する情報を記憶してある携帯端末８を所持していることを前提とする。この携帯端末８とは、例えばＩＣタグ（カード）や携帯電話等を好適に用いることができる。例えば、ＩＣタグ（カード）を例に取って説明すると、ＩＣタグ（カード）を所持したエレベータ利用者７がエレベータの乗場、或いは乗りかご１内に設けられた受信装置９に近づくことによって、ＩＣタグ（カード）内に記憶された携帯端末情報が受信装置９に読み取られることになる。
【００１５】
この携帯端末８内に記憶される携帯端末情報としては、例えば、この携帯端末８を所持する者が、建物や特定のフロアへの入退出許可を備えていることや氏名、所属等の個人情報、或いは、情報出力手段に表示して欲しい情報の種類等を挙げることができる。なお、これら携帯端末８内に記憶させる情報については任意に定めることができる。
【００１６】
図１に示すエレベータ制御装置１は、ＩＤ識別部２、記憶情報更新部３、記憶部４、およびエレベータ制御部５を備えて構成される。なお、エレベータ制御装置１は、更に、エレベータ乗場毎に設置されている受信装置９を備えて構成してもよい。また、更に、利用者７が所持する携帯端末８備えて構成してもよい。
【００１７】
まず、エレベータ制御装置１の各構成要素の機能と、利用者７が初めてエレベータを利用する際のエレベータの呼び登録方法について、図２を用いて説明する。図２は、この発明の実施の形態１に係るエレベータの呼び登録方法を示す第１のフローチャートである。
【００１８】
利用者７は、初めてエレベータを利用するときは、所持する携帯端末８を操作して、目的階の情報を携帯端末８に入力する（ステップＳ１）。
【００１９】
また、利用者７は、次回以降のエレベータ利用時にもかご６を自動呼び登録するか否かの自動登録可否設定（「有効」ｏｒ「無効」）を、同様に携帯端末８に入力する（ステップＳ２）。
【００２０】
利用者７によるステップＳ１、Ｓ２の入力処理が完了すると、携帯端末８は、目的階の情報および自動登録可否設定を、利用者７の存在する乗場階に設置された受信装置９へと送信する（ステップＳ３）。
【００２１】
エレベータ乗場毎に設置された受信装置９は、乗場階の情報、目的階の情報、および携帯端末情報からなる乗場呼び情報と、自動登録可否設定とを、エレベータ制御装置１へ送信する（ステップＳ４）。
【００２２】
ＩＤ識別部２は、携帯端末８を所持している利用者７の利用者ＩＤを、受信装置９から受信した乗場呼び情報のうちの携帯端末情報から識別する。なお、ＩＤ識別部２は、エレベータ制御装置１に設置する代わりに、受信装置９に設置するようにしてもよい。あるいは、ＩＤ識別部２を省略して、携帯端末情報をそのまま利用者ＩＤとして用いることも可能である。
【００２３】
一方で、エレベータ制御部５は、受信装置９から受信した乗場呼び情報のうち乗場階の情報に従って、かご６を利用者７の存在する乗場階へと配車する（ステップＳ５）。
【００２４】
そして、利用者７がかご６に乗車すると、エレベータ制御部５は、乗場呼び情報のうち目的階の情報に従って、かご６を目的階へと移動させる（ステップＳ６）。
【００２５】
記憶情報更新部３は、目的階を、利用者ＩＤ毎、かつ乗場階毎に、記憶部４に記憶させる（ステップＳ７）。さらに、記憶情報更新部３は、自動登録可否設定を、利用者ＩＤ毎に、記憶部４に記憶させる（ステップＳ８）。
【００２６】
なお、ステップＳ１において目的階の情報を設定する際に、利用者７は、携帯端末８を操作する代わりに、乗場に設けられた呼び登録スイッチを操作する構成としてもよい。
【００２７】
次に、利用者７が、２回目以降エレベータを利用する際のエレベータの呼び登録方法について、図３を用いて説明する。図３は、この発明の実施の形態１に係るエレベータの呼び登録方法を示す第２のフローチャートである。
【００２８】
利用者７がエレベータ乗場に到着すると、利用者７の存在する乗場階に設置された受信装置９は、利用者７が所持する携帯端末８が発信する携帯端末情報を検知し（ステップＳ１１）、エレベータ制御装置１へ送信する（ステップＳ１２）。さらに、このとき、受信装置９は、同時に、受信装置９が設置された乗場階の情報を、エレベータ制御装置１に送信する。
【００２９】
ＩＤ識別部２は、携帯端末８を所持する利用者７の利用者ＩＤを、受信した携帯端末情報から識別する（ステップＳ１３）。エレベータ制御部５は、受信装置９から受信した利用者ＩＤから、記憶部４に利用者ＩＤ毎に記憶された自動登録可否設定を参照することにより、記憶部４に最後に登録された利用者７の自動登録可否設定を取得する（ステップＳ１４）。
【００３０】
エレベータ制御部５は、取得した自動登録可否設定が「無効」である場合には（ステップＳ１５：Ｎｏ）、かご６の自動呼び登録を行わずにフローを終了する。
【００３１】
一方で、エレベータ制御部５は、自動登録可否設定が「有効」である場合には（ステップＳ１５：Ｙｅｓ）、受信装置９から受信した利用者ＩＤおよび乗場階の情報から、記憶部４に利用者ＩＤ毎、かつ乗場階毎に記憶された目的階の情報を参照することにより、記憶部４に最後に登録された利用者７の目的階の情報を取得する（ステップＳ１６）。
【００３２】
そして、エレベータ制御部５は、目的階および乗場階の情報に従って、かご６を自動呼び登録する。具体的には、エレベータ制御部５は、乗場階の情報に従って、かご６を利用者７の存在する乗場階へと配車する（ステップＳ１７）。そして、利用者７がかご６に乗車すると、エレベータ制御部５は、目的階の情報に従って、かご６を目的階へと移動させる（ステップＳ１８）。
【００３３】
最後に、記憶部４に記憶された乗場呼び情報または自動登録可否設定を、利用者７が２回目以降エレベータを利用する際に変更する方法について、図４を用いて説明する。図４は、この発明の実施の形態１に係るエレベータの呼び登録方法を示す第３のフローチャートである。
【００３４】
携帯端末８を所持した利用者７が、エレベータ乗場に到着すると、まず、先の図３のフローチャートに示すステップＳ１１〜Ｓ１７と同じ処理が実行される（ステップＳ２１）。
【００３５】
次に、利用者７は、所持する携帯端末８を操作して、新しい目的階の情報または新しい自動登録可否設定を、携帯端末８に入力する（ステップＳ２２）。携帯端末８は、新しい目的階の情報または新しい自動登録可否設定を、利用者７の存在する乗場階に設置された受信装置９へと送信する（ステップＳ２３）。
【００３６】
受信装置９は、携帯端末８から受信した新しい目的階の情報または新しい自動登録可否設定と、乗場階の情報および携帯端末情報とを、エレベータ制御装置１に送信する（ステップＳ２４）。また、ＩＤ識別部２は、携帯端末８を所持する利用者７の利用者ＩＤを、受信した携帯端末情報から識別する。
【００３７】
エレベータ制御部５は、受信装置９から受信した情報に目的階の情報が含まれる場合（ステップＳ２５：ａ）には、受信した乗場階の情報に従って、かご６を利用者７の存在する乗場階へと配車する（ステップＳ２６）。なお、ここで、エレベータ制御部５は、先のステップＳ２１で自動登録された乗場呼びを取り消す処理をしてもよい。
【００３８】
次に、記憶情報更新部３は、利用者ＩＤ毎、かつ乗場階毎に記憶されている記憶部４の目的階の情報を、新しく受信した目的階の情報で更新する（ステップＳ２７）。
【００３９】
そして、利用者７がかご６に乗車すると、エレベータ制御部５は、新しい目的階の情報に従って、かご６を目的階へと移動させる（ステップＳ２８）。
【００４０】
一方、受信装置９から受信した情報に自動登録可否設定が含まれる場合（ステップＳ２５：ｂ）には、記憶情報更新部３は、利用者ＩＤ毎に記憶されている記憶部４の自動登録可否設定を、新しく受信した自動登録可否設定（「有効」ｏｒ「無効」）で更新する（ステップＳ２９）。
【００４１】
その後、利用者７は、到着したかご６に乗車する（ステップＳ２８）。なお、ステップＳ２１で自動登録された乗場呼びと異なる目的階に移動したい場合は、乗場ボタンまたは携帯端末８を操作して、改めて乗場呼びをし直してもよい。
【００４２】
以上のように、実施の形態１によれば、利用者の登録する呼びが最後に登録したものと同じ場合には、２回目以降の呼び登録操作が必要なくなり、手間が省ける。また、呼びの内容を変更したい場合も、受信装置との通信確立後に携帯端末を操作することで自由に設定可能である。
【００４３】
なお、図４に示すフローチャートでは、受信装置９は乗場階毎に設置されるとしたが、乗場呼び情報変更専用の受信装置９を乗場階以外の場所に別に用意し、この受信装置９を介して、同様の流れで、乗場呼び情報や自動登録可否設定を変更する構成としても良い。
【００４４】
また、期間毎や時間帯毎に乗場呼び情報や自動登録可否設定を切り替える場合は、乗場呼び情報や自動登録可否設定と予め定めた期間や時間帯とを組合せて、記憶部４に記録する構成としてもよい。これにより、出勤時や昼食時、退勤時など、時間帯毎に呼び登録を切り替えたい場合にも対応でき、呼び登録の手間を減らすことができる。
【００４５】
また、自動登録された乗場呼び情報や、それによって配車されたかご６の情報を、利用者７に通知する場合は、エレベータ乗場またはかご６に表示器を設けて前記情報を表示する構成としてもよい。また利用者７の携帯端末８に前記情報を表示する構成としてもよい。これにより、利用者７は自動登録された呼びの内容を確認してかご６に乗車できるので、乗り間違いを防ぐことができる。
【符号の説明】
【００４６】
１  エレベータ制御装置、２  ＩＤ識別部、３  記憶情報更新部、４  記憶部、５  エレベータ制御部、６  かご、７  利用者、８  携帯端末、９  受信装置。
【図１】
2015229560.tif 000003
【図２】
2015229560.tif 000004
【図３】
2015229560.tif 000005
【図４】
2015229560.tif 000006